(57)【要約】      （修正有）【課題】ハンドオーバが行われるような環境であっても、移動局装置が通信に係るデータを適切に受信できるようにする。【解決手段】移動局装置１０−１は、基地局装置２０−１との通信中、定期的に周辺基地局装置からの報知信号を受信してその受信レベルを基地局装置２０−１に報告する。基地局装置２０−１は移動局装置からの報告に基づいて移動局装置を基地局装置２０−２にハンドオーバさせることを決定し、ハンドオーバ要求をＰＤＳＮ３０に送信する。ＰＤＳＮ３０はハンドオーバ要求を基地局装置２０−２に転送する。基地局装置２０−１は、ハンドオーバ指示を移動局装置１０−１に送信する。ハンドオーバ指示を受信した移動局装置１０−１は、基地局装置２０−２との間で通信路を確立する。基地局装置２０−１は移動局装置情報を所定時間保持し、所定時間が経過するまで、ＰＤＳＮ３０からの移動局装置１０−１宛データを移動局装置１０−１に送信する。【選択図】図５
2015062262.tif 000002
【特許請求の範囲】
【請求項１】
基地局装置と、前記基地局装置と接続される交換機と、を含む移動体通信システムにおいて、前記交換機から前記基地局装置を介して移動局装置へデータを送信する通信方法であって、
前記基地局装置側で、前記移動局装置を示す移動局装置情報を取得する取得ステップと、
前記取得した移動局装置情報に基づいて、前記交換機から前記基地局装置を介して前記移動局装置へ前記データを送信するデータ送信ステップと、を含み
前記移動局装置情報に対応する移動局装置が、前記基地局装置から他の基地局装置へハンドオーバする場合には、前記基地局装置側で、前記取得した移動局装置情報を所定時間保持するようにし、当該所定時間が経過するまで、当該保持した移動局装置情報に基づいて前記交換機から前記基地局装置を介して前記データを送信するようにする、
ことを特徴とする通信方法。
【発明の詳細な説明】
【技術分野】
【０００１】
本発明は通信方法に関する。
【背景技術】
【０００２】
移動体通信システムでは、移動局装置Ｃは、基地局装置Ａとの通信中、基地局装置Ｂへハンドオーバする（特許文献１）。
【先行技術文献】
【特許文献】
【０００３】
【特許文献１】特開２００５−３１１６４６号公報
【発明の概要】
【発明が解決しようとする課題】
【０００４】
しかしながら、上記ハンドオーバでは、移動局装置Ｃと基地局装置Ｂとの間で無線区間の通信路が確立してから、交換機がデータの送信先を基地局装置Ｂに変更するまでに、一定の時間がかかる。このため、移動局装置Ｃが通信に係るデータを適切に受信できない場合が生ずる。すなわち、移動局装置Ｃは、ハンドオーバの際に、適切に受信できない場合が生ずる。
【０００５】
従って、本発明の課題の一つは、ハンドオーバが実行される環境下にあっても、移動局装置が通信に係るデータを適切に受信できるようにすることができる通信方法を提供することにある。
【課題を解決するための手段】
【０００６】
上記課題を解決するための本発明に係る通信方法は、基地局装置と、前記基地局装置と接続される交換機と、を含む移動体通信システムにおいて、前記交換機から前記基地局装置を介して移動局装置へデータを送信する通信方法であって、前記基地局装置側で、前記移動局装置を示す移動局装置情報を取得する取得ステップと、前記取得した移動局装置情報に基づいて、前記交換機から前記基地局装置を介して前記移動局装置へ前記データを送信するデータ送信ステップと、を含み、前記移動局装置情報に対応する移動局装置が、前記基地局装置から他の基地局装置へハンドオーバする場合には、前記基地局装置側で、前記取得した移動局装置情報を所定時間保持するようにし、当該所定時間が経過するまで、当該保持した移動局装置情報に基づいて前記交換機から前記基地局装置を介して前記データを送信するようにする、ことを特徴とする。
【０００７】
これによれば、移動局装置が第１の基地局装置から第２の基地局装置へハンドオーバし、所定時間内に、更に第２の基地局装置から第１の基地局装置へハンドオーバした場合であっても、移動局装置は、通信に係るデータを適切に受信することができるようになる。
【０００８】
また、上記通信方法において、前記基地局装置側で前記移動局装置情報を保持している間に、前記移動局装置情報に対応する移動局装置が、前記他の基地局装置から当該基地局装置へハンドオーバした場合には、前記交換機から前記基地局装置を介した前記データの送信を継続するようにする、こととしてもよい。
【０００９】
これによれば、交換機からの通信に係るデータの送信を確実に継続させることができるようになる。
【００１０】
また、上記各通信方法において、前記データは、ストリーミングデータである、こととしてもよい。
【００１１】
これによれば、データのうち、特にテレビ放送や多地点テレビ会議などにおいて送信される映像データなどのストリーミングデータについて、ハンドオーバが行われる際、ハンドオーバしようとする移動局装置が通信に係るデータを適切に受信できるようになる。
【００１２】
また、基地局装置と接続され、前記基地局装置を介して移動局装置へデータを送信する交換機であって、前記移動局装置を示す移動局装置情報を取得する取得手段と、前記取得した移動局装置情報に基づいて、前記基地局装置を介して前記移動局装置へ前記データを送信するデータ送信手段と、前記移動局装置情報に対応する移動局装置が、前記基地局装置から他の基地局装置へハンドオーバする場合には、所定時間を計時する計時手段と、を備え、前記計時手段による計時において、前記所定時間が経過するまでは、前記取得した移動局装置情報に基づいて、前記基地局装置へ前記データを送信するようにする。
【図面の簡単な説明】
【００１３】
【図１】本発明の実施の形態に係る移動体通信システムのシステム構成を示す図である。
【図２】本発明の実施の形態に係る移動体通信システムの機能ブロックを示す図である。
【図３】本発明の実施の形態に係るマルチキャストテーブルを示す図である。
【図４】本発明の実施の形態に係る移動局装置−基地局装置対応テーブルを示す図である。
【図５】本発明の実施の形態に係るマルチキャストテーブル取得処理を示す図である。
【図６】本発明の実施の形態に係る、ＰＤＳＮおいて所定時間を計時する処理と当該計時に基づいた処理を示すシーケンス図である。
【発明を実施するための形態】
【００１４】
本発明の実施の形態について、図面を参照しながら説明する。
【００１５】
図１は、本実施の形態に係る移動体通信システム１のシステム構成を示す図である。同図に示すように、移動体通信システム１は、複数の移動局装置１０、複数の基地局装置２０、ＰＤＳＮ(Packet Data Service Node，パケット交換機)３０、ネットワーク４０を含んで構成される。
【００１６】
本実施の形態では、各移動局装置１０は、ネットワーク４０との間でＩＰ通信を行う。また、ネットワーク４０は、各移動局装置１０に対して、ストリーミングデータをマルチキャスト送信する。以下、これらを実現するための各装置の概要について説明する。
【００１７】
まず、ネットワーク４０は、ＰＤＳＮ３０及び基地局装置２０を介して移動局装置１０と通信を行うコンピュータを含んで構成される通信ネットワークである。ここでは、ネットワーク４０はＴＣＰ／ＩＰネットワークである。ネットワーク４０は、宛先をマルチキャストグループとするストリーミングデータをＰＤＳＮ３０に対して送信する。
【００１８】
ＰＤＳＮ３０は通信中継装置として機能するコンピュータである。ＰＤＳＮ３０は上述のマルチキャストテーブル（同一のデータを受信すべき１又は複数の受信端末の組からなるマルチキャストグループと、移動局装置１０の識別情報と、を対応付けるテーブル）を記憶しており、当該マルチキャストテーブルに基づいてネットワーク４０から送信されたストリーミングデータを受信する移動局装置１０を特定する。そして、ストリーミングデータの宛先を該特定した移動局装置１０に変更し、該特定した移動局装置１０が在圏する基地局装置２０に対してストリーミングデータを送信する。
【００１９】
基地局装置２０も通信中継装置として機能するコンピュータである。基地局装置２０は、ＰＤＳＮ３０から受信したストリーミングデータを、該ストリーミングデータの宛先である移動局装置１０に対して送信する。基地局装置２０は、移動局装置１０ごとにチャネル（周波数（周波数分割多重）、タイムスロット（時間分割多重）、ＰＮ符号（符号分割多重）、アダプティブアレイアンテナ指向性（空間分割多重）などから特定される通信リソース）を確保しており、該確保しているチャネルにおいて上記ストリーミングデータを送信する。
【００２０】
移動局装置１０は通信機能を有するコンピュータであり、基地局装置２０が送信したストリーミングデータを受信して、該ストリーミングデータに応じた処理を行う。
【００２１】
基地局装置２０は街中など様々な場所に固定設置されており、予め定められた送信電力で報知信号を送信している。移動局装置１０は、基地局装置２０との通信中、各基地局装置２０が送信しているこの報知信号を定期的に受信する。そして、報知信号の受信状況に応じて、他の基地局装置２０にハンドオーバを行う。
【００２２】
また、ＰＤＳＮ３０はマルチキャストテーブルの少なくとも一部を、当該ＰＤＳＮ３０に接続された基地局装置２０に対して送信しており、基地局装置２０は、ＰＤＳＮ３０から送信されたマルチキャストテーブルを受信し、記憶する。そして、ある移動局装置１０が第１の基地局装置２０から第２の基地局装置２０へハンドオーバする際には、第２の基地局装置２０は、記憶しているマルチキャストテーブルを用いて、該ハンドオーバする移動局装置１０（以下、ハンドオーバ移動局装置１０と称する。）に対して送信すべきストリーミングデータを、他の移動局装置１０に対して送信中であるか否かを判断する。送信中であると判断した場合には、ＰＤＳＮ３０からハンドオーバ移動局装置１０を宛先として送信されたストリーミングデータを受信するようになるまでの間（ハンドオーバ移動局装置１０がＰＤＳＮ３０から送信されたストリーミングデータを受信するようになるまでの間）、上記他の移動局装置１０に対して送信しているストリーミングデータを、ハンドオーバ移動局装置１０に対しても送信するようにしている。
【００２３】
さらに、ハンドオーバ移動局装置１０が第１の基地局装置２０から第２の基地局装置２０へハンドオーバする際には、ＰＤＳＮ３０が所定時間を計時し、当該計時の結果、当該所定時間が経過した場合に、第１の基地局装置２０へ当該第１の基地局装置２０が記憶しているマルチキャストテーブルのうち、少なくとも、ハンドオーバ移動局装置１０の識別情報を削除するよう要求する。そして、第１の基地局装置２０は、前記ＰＤＳＮ３０から前記削除の要求があった場合に、自局が記憶しているマルチキャストテーブルについて、前記要求に応じた削除を実行し、前記削除の要求があるまでは、マルチキャストテーブルについて、少なくともハンドオーバ移動局装置１０の識別情報を保持するようにしている。
【００２４】
ＰＤＳＮ３０における所定時間の計時を行うまでの処理は、より具体的には、以下のようになる。すなわち、まず、ハンドオーバ移動局装置１０が、第１の基地局装置２０との通信中に、定期的に周辺基地局装置２０からの報知信号を受信してその受信レベルを取得し、自局が送信している信号よりも受信レベルの高い基地局装置２０がある場合、その基地局装置（ここでは第２の基地局装置２０とする）のチャネル空き状況を調査し、空きがあれば、移動局装置１０が第２の基地局装置２０へハンドオーバすべきことを示すハンドオーバ要求をＰＤＳＮ３０に対して送信するとともに、ハンドオーバ移動局装置１０に対してハンドオーバを指示する。次に、第１の基地局装置２０がＰＤＳＮ３０へ、ハンドオーバ移動局装置１０が第２の基地局装置２０へハンドオーバすべきことを示すハンドオーバ要求を送信し、ＰＤＳＮ３０が当該ハンドオーバ要求を受信すると、ＰＤＳＮ３０は、前記所定時間の計時を開始する。なお、所定時間は、例えば、数十秒から数分程度までの時間を意味する。具体的には、通常、移動体通信システムでは、移動局装置１０と基地局装置２０との無線接続が、無線環境の異常等に起因して切断された場合には、ＰＤＳＮ３０が基地局装置２０へのデータの送信を終了させるまで（閉塞処理まで）に一定の時間が設けられているが、この一定の時間と同等の時間になるように所定時間が設定される。
【００２５】
以下、移動体通信システム１の構成及び機能の詳細について、図２を参照しながら説明する。
【００２６】
図２は、移動体通信システム１の機能ブロックを示す図である。同図に示すように、移動局装置１０は機能的に、受信部１１、受信レベル取得部１２、送信部１３、ハンドオーバ実施部１４を含んで構成される。基地局装置２０は機能的に、受信部２１、送信部２２、受信部２３、送信部２４、マルチキャストテーブル記憶部２５、同一データ送信判断部２６、ハンドオーバ実施部２７、マルチキャストテーブル送信要求部２８、を含んで構成され、送信部２２はさらに複製部２２１を、マルチキャストテーブル記憶部２５はさらにマルチキャストテーブル記憶制御部２５１（図示せず）を、マルチキャストテーブル送信要求部２８はさらに移動局装置識別情報取得部２８１を含んで構成される。ＰＤＳＮ３０は機能的に、受信部３１、宛先決定部３２、送信部３３、受信部３４、送信部３５、マルチキャストテーブル記憶部３６、マルチキャストテーブル送信部３７、ハンドオーバ実施部３８、所定時間計時部３９及び削除要求部４１を含んで構成される。
【００２７】
まず、各装置間でのデータ送受信処理について説明する。
【００２８】
上り通信では、送信部１３が移動局装置１０の通信処理部（不図示）から入力されたデータを基地局装置２０に対して送信する。受信部２３は、こうして送信されたデータを受信し、そのうちＰＤＳＮ３０又はネットワーク４０宛のデータについては、送信部２４に対して出力する。また、基地局装置２０は、後述する各部においてＰＤＳＮ３０に対して送信すべきデータを生成し、送信部２４に出力する。送信部２４は、入力されたデータをＰＤＳＮ３０に対して送信する。
【００２９】
受信部３４は、基地局装置２０が送信したデータを受信し、そのうちネットワーク４０宛のデータについては、送信部３５に出力する。送信部３５は、入力されたデータをネットワーク４０に対して送信する。
【００３０】
次に、下り通信では、受信部３１は、ネットワーク４０から入力されたデータを受信する。ここでは、このデータの一部はストリーミングデータであり、その宛先はマルチキャストグループにより特定されている。宛先決定部３２は、受信部３１が受信したストリーミングデータの宛先であるマルチキャストグループ（宛先情報）を取得し、マルチキャストテーブルに基づいて、宛先となる移動局装置１０を決定する。
【００３１】
図３はマルチキャストテーブルの例を示す図である。同図に示すように、マルチキャストテーブルはマルチキャストグループを示すマルチキャストグループ情報と、ＩＰアドレスと、移動局装置を識別するための移動局装置識別情報と、を対応付けて記憶している。
【００３２】
ネットワーク４０は各移動局装置１０にＩＰアドレスを付与している。マルチキャスト送信でない送信によりネットワーク４０から移動局装置１０に対して送信されるデータの宛先はこのＩＰアドレスによって特定されるが、マルチキャスト送信では、ネットワーク４０は、あるストリーミングデータを送信すべき１又は複数の移動局装置１０に、これらを代表する代表ＩＰアドレスを付与し、この代表ＩＰアドレスよってストリーミングデータの宛先を特定する。同一の代表ＩＰアドレスを付与された１又は複数の移動局装置１０はマルチキャストグループを構成し、代表ＩＰアドレスがマルチキャストグループ情報となる。
【００３３】
ネットワーク４０は、各移動局装置１０のＩＰアドレスと、各移動局装置１０の属するマルチキャストグループ情報と、を対応付け、さらに移動体通信システム１で使用される各移動局装置１０を識別するための識別情報（以下、移動局装置識別情報と称する。）を対応付けることにより、移動局装置グループごとに、そのグループに属する１又は複数の移動局装置１０を示す移動局装置グループ情報を生成する。ネットワーク４０は、この移動局装置グループ情報によって、上記マルチキャストテーブルを構成する。ネットワーク４０は、こうして構成したマルチキャストテーブルの少なくとも一部をＰＤＳＮ３０に対して送信する。受信部３１は、ネットワーク４０が送信したマルチキャストテーブルの少なくとも一部を受信し、マルチキャストテーブル記憶部３６に記憶させる。
【００３４】
宛先決定部３２は、こうして記憶されたマルチキャストテーブルに基づいて、ストリーミングデータの宛先となる移動局装置１０を決定する。具体的には、宛先決定部３２は、ストリーミングデータの宛先であるマルチキャストグループを取得し、さらに、取得したマルチキャストグループを示すマルチキャストグループ情報と対応付けてマルチキャストテーブルに記憶される１又は複数の移動局装置識別情報を取得する。そして、取得した各移動局装置識別情報により示される移動局装置１０を、ストリーミングデータの宛先として決定する。
【００３５】
ここで、基地局装置２０は移動局装置−基地局装置対応テーブルを記憶している。図４は、この移動局装置−基地局装置対応テーブルの例を示す図である。移動局装置−基地局装置対応テーブルは、図４にも示すように、移動局装置識別情報と、該移動局装置識別情報により識別される移動局装置１０が在圏する基地局装置２０を示す基地局装置識別情報と、を対応付けて記憶するテーブルである。
【００３６】
宛先決定部３２は、移動局装置−基地局装置対応テーブルに基づいて、ストリーミングデータの宛先として決定した移動局装置１０と対応する基地局装置２０を取得し、取得した基地局装置２０に対して該ストリーミングデータを送信するよう、送信部３３に指示する。送信部３３は、あるストリーミングデータについて複数の移動局装置１０が宛先となっている場合には、その分ストリーミングデータを複製し、指示された基地局装置２０に対して送信する。
【００３７】
受信部２１は、ＰＤＳＮ３０が送信したストリーミングデータを受信し、送信部２２に出力する。送信部２２は、入力されたストリーミングデータの宛先である移動局装置１０に対して、該ストリーミングデータを無線送信する。このとき、送信部２２は、同一データ送信判断部２６の指示に従い、ストリーミングデータの宛先である移動局装置１０以外に対しても該ストリーミングデータを無線送信することがあるが、この処理については後述する。
【００３８】
受信部１１は、基地局装置２０が送信したストリーミングデータを受信して移動局装置１０の通信処理部（不図示）に出力し、該通信処理部は、該ストリーミングデータに応じた処理（例えばディスプレイに表示する処理など）を行う。
【００３９】
次に、ハンドオーバ処理について説明する。
【００４０】
各基地局装置２０に備えられる送信部２２は、定期的に報知信号を送信している。この送信は、所定の送信電力で行われる。受信部１１はこの報知信号を定期的に受信しており、受信レベル取得部１２は受信される報知信号の受信レベル（ＲＳＳＩ，Receive Signal Strength Indication）を取得し、各基地局装置２０が送信している報知信号の受信レベルを送信部１３に出力する。送信部１３は、受信レベル取得部１２から入力された受信レベルを基地局装置２０に対して送信する。
【００４１】
受信部２３は、当該基地局装置２０と通信中の各移動局装置１０から上記受信レベルを受信し、ハンドオーバ実施部２７に出力する。ハンドオーバ実施部２７は、各移動局装置１０について、受信部２３から入力された受信レベルに基づき、ハンドオーバさせるべきか否かを判断する。具体的には、例えば移動局装置１０−１について、当該基地局装置２０が送信している報知信号よりも受信レベルの高い報知信号を送信している基地局装置２０（基地局装置２０−２とする。）がある場合、その基地局装置２０−２のチャネル空き状況を調査する。より具体的には、ＰＤＳＮ３０を介して基地局装置２０−２に対してチャネル空き状況を問い合わせ、その結果を取得する。この結果に基づき、ハンドオーバ実施部２７は、基地局装置２０−２が移動局装置１０−１のハンドオーバを受け入れ、移動局装置１０−１との通信を開始することが可能か否かを判断する。具体的には、チャネルに空きがあれば移動局装置１０−１との通信を開始することが可能であると判断する。
【００４２】
ハンドオーバ実施部２７は、基地局装置２０−２が移動局装置１０−１との通信を開始することが可能であると判断すると、移動局装置１０−１に対し基地局装置２０−２へハンドオーバするよう指示するとともに、ＰＤＳＮ３０に対して、移動局装置１０−１を基地局装置２０−２へハンドオーバさせることを要求する。具体的には、基地局装置２０−２へハンドオーバするよう指示するためのハンドオーバ指示を生成して送信部２２から送信する。また、移動局装置１０−１を基地局装置２０−２へハンドオーバさせるよう要求するハンドオーバ要求を生成し、送信部２４から送信する。
【００４３】
ハンドオーバ指示を受信した受信部１１は、ハンドオーバ実施部１４にこれを出力する。ハンドオーバ実施部１４は、ハンドオーバ指示の入力を受けると、基地局装置２０−２に対しチャネルの割り当てを要求する。この割り当てが完了すると、基地局装置２０−２と移動局装置１０−１の間で通信路が確立され、通信が開始される。
【００４４】
ハンドオーバ要求を受信した受信部３４は、ハンドオーバ実施部３８にこれを出力する。ハンドオーバ実施部３８は、ハンドオーバ要求の入力を受けると、基地局装置２０−２に対しこれを転送する。基地局装置２０−２はその受信部２１において、こうして転送されたハンドオーバ要求を受信する。そしてこのハンドオーバ要求に応じて、ＰＤＳＮ３０との間で、移動局装置１０−１についての通信路を確立する。この通信路が確立されると、ＰＤＳＮ３０は移動局装置１０−１に対して送信すべきデータの送信先を基地局装置２０−２に送信するようにする。具体的には、移動局装置−基地局装置対応テーブルを書き換える。
【００４５】
また、ハンドオーバ要求を受信した受信部３４は、所定時間計時部３９にもこれを出力する。そして、所定時間計時部３９は、受信部３４からのハンドオーバ要求に基づいて、所定時間の計時を開始する。そして、この所定時間計時部３９が計時の結果、当該所定時間が経過した場合には、ＰＤＳＮ３０は、ハンドオーバ元の基地局装置２０−１へ、当該ハンドオーバ元の基地局装置２０−１がマルチキャストテーブル記憶部２５に記憶しているマルチキャストテーブルのうち、少なくとも、移動局装置１０−１の識別情報を削除するよう削除要求を削除要求部４１から送信部３３を介して送信する。そして、ハンドオーバ元の基地局装置２０−１は、受信部２１で受信した前記削除要求をマルチキャストテーブル記憶制御部２５１に出力する。マルチキャストテーブル記憶制御部２５１は、当該削除要求に基づいて、マルチキャストテーブル記憶部２５が当該マルチキャストテーブル記憶部２５で記憶している、少なくとも、移動局装置１０−１の識別情報を削除するように制御する。
【００４６】
このように、ハンドオーバ元の基地局装置２０−１において、マルチキャストテーブルから移動局装置１０−１の識別情報が削除されると、ＰＤＳＮ３０は、基地局装置２０−１から移動局装置１０−１へデータを送信することができなくなる。なお、ハンドオーバ元の基地局装置２０−１は、前記削除要求を受信するまでは、マルチキャストテーブルにおいて少なくとも、移動局装置１０−１の識別情報を保持する。
【００４７】
移動局装置−基地局装置対応テーブルが書き換えられ、また、所定時間計時部３９の計時において所定時間が経過するまでは、ＰＤＳＮ３０が送信するデータのうち、移動局装置１０−１を宛先とするデータは、基地局装置２０−１と基地局装置２０−２に送信されるようになる。なお、基地局装置２０−２とＰＤＳＮ３０の間での通信路の確立は、基地局装置２０−２と移動局装置１０−１の間で通信路が確立されてから行われる。
【００４８】
こうして、移動局装置１０のハンドオーバ処理が行われる。このハンドオーバに際し、上述のように、基地局装置２０は、当該基地局装置２０にハンドオーバしようとするハンドオーバ移動局装置１０に対して送信すべきストリーミングデータを、他の移動局装置１０に対しても送信中である場合には、該他の移動局装置１０に対して送信しているストリーミングデータを、ハンドオーバ移動局装置１０に対しても送信する。以下、このための処理について説明する。
【００４９】
まず、移動局装置識別情報取得部２８１は、当該基地局装置２０と通信中の移動局装置１０の移動局装置識別情報を定期的に取得する。マルチキャストテーブル送信要求部２８は、移動局装置識別情報取得部２８１が取得した移動局装置識別情報を含むマルチキャストテーブル送信要求を生成し、送信部２４に出力する。送信部２４は、入力されたマルチキャストテーブル送信要求をＰＤＳＮ３０に対して送信する。
【００５０】
受信部３４は、基地局装置２０が送信したマルチキャストテーブル送信要求を受信し、マルチキャストテーブル送信部３７に出力する。マルチキャストテーブル送信部３７は、マルチキャストテーブル記憶部３６に記憶されるマルチキャストテーブルから、マルチキャストテーブル送信要求に含まれる移動局装置識別情報により識別される移動局装置１０が属する１又は複数のマルチキャストグループに関する移動局装置グループ情報を読み出し、送信部３３に出力する。送信部３３は、入力された移動局装置グループ情報を、上記マルチキャストテーブル送信要求を送信した基地局装置２０に対して出力する。結果として、送信部３３は、複数の基地局装置２０のうち少なくとも一部、すなわち各マルチキャストグループに属する移動局装置１０と通信中の基地局装置２０に対し、そのマルチキャストグループに関するマルチキャストテーブルの一部、すなわちそのマルチキャストグループに関する移動局装置グループ情報を送信している。
【００５１】
受信部２１は、こうして送信された移動局装置グループ情報を受信し、マルチキャストテーブル記憶部２５に出力する。マルチキャストテーブル記憶部２５は、入力された移動局装置グループ情報によりマルチキャストテーブルを構成し、記憶する。そして、自局と通信中の移動局装置１０が他の基地局装置２０へハンドオーバした場合には、前記ＰＤＳＮ３０からの前記削除要求があるまで、少なくとも、当該移動局装置１０の識別情報を保持するようにする。
【００５２】
ハンドオーバ実施部２７は、ハンドオーバ処理において、ＰＤＳＮ３０からハンドオーバ要求を受信し、又は移動局装置１０からチャネルの割り当ての要求を受信すると、同一データ送信判断部２６にその旨を出力する。
【００５３】
同一データ送信判断部２６は、ストリーミングデータを受信中の移動局装置１０（ハンドオーバ移動局装置１０）が当該基地局装置２０にハンドオーバする場合に、該ストリーミングデータを当該基地局装置２０から送信中の他の移動局装置１０を、マルチキャストテーブル記憶部２５に記憶されるマルチキャストテーブルに基づいて検索する。すなわち、同一データ送信判断部２６は、マルチキャストテーブルにおいて、ハンドオーバ移動局装置１０と同じマルチキャストグループに属する他の移動局装置１０を検索する。
【００５４】
他の移動局装置１０が検索された場合、同一データ送信判断部２６は、複製部２２１に対し、該他の移動局装置１０に対して送信しているストリーミングデータを複製し、ハンドオーバ移動局装置１０にも送信するよう、指示する。
【００５５】
送信部２２は、同一データ送信判断部２６の指示に従い、他の移動局装置１０に対して送信中のストリーミングデータを複製部２２１において複製し、ハンドオーバ移動局装置１０に対して送信する。
【００５６】
このようにして、基地局装置２０は、当該基地局装置２０にハンドオーバしようとするハンドオーバ移動局装置１０に対して送信すべきストリーミングデータを、他の移動局装置１０に対しても送信中である場合には、該他の移動局装置１０に対して送信しているストリーミングデータを、ハンドオーバ移動局装置１０に対しても送信している。
【００５７】
この複製送信処理は、ＰＤＳＮ３０からハンドオーバ移動局装置１０を宛先として送信されたストリーミングデータを受信するようになるまでの間、行われる。こうして、移動体通信システム１では、ハンドオーバが行われる際、ストリーミングデータのリアルタイム性を確保するようにしている。
【００５８】
そして、ＰＤＳＮ３０は、ハンドオーバ移動局装置１０が所定時間の間に、再びハンドオーバ元の基地局装置２０へハンドオーバした際に、直ちにストリーミングデータをハンドオーバ移動局装置１０へ送信することができるようにしている。
【００５９】
また、ＰＤＳＮ３０は、前記所定時間が経過する前に、ハンドオーバ移動局装置１０がハンドオーバ元の基地局装置２０へ再度ハンドオーバした場合には、所定時間計時部３９による所定時間の計時を終了させ、計時をクリア状態にする。これにより、ハンドオーバ元の基地局装置２０へのストリーミングデータの送信を継続して行うことが可能になり、これにより、ハンドオーバ元の基地局装置２０と再度接続するハンドオーバ移動局装置１０は、ストリーミングデータのリアルタイム性が確保される。
【００６０】
以下、以上説明した各処理を、処理のシーケンス図を参照しながら再度より詳細に説明する。
【００６１】
まず、図５は、基地局装置２０−１がＰＤＳＮ３０からマルチキャストテーブルを取得する処理と、移動体通信システム１においてストリーミングデータを送信する処理を示すシーケンス図である。そして、図６は、ＰＤＳＮ３０おいて所定時間を計時する処理と、当該計時に基づいた処理を示すシーケンス図である。
【００６２】
図５に示すように、移動局装置１０−１と基地局装置２０−１との間、及び基地局装置２０−１とＰＤＳＮ３０との間でそれぞれ通信路が確立したら、基地局装置２０−１は、マルチキャストテーブル送信要求をＰＤＳＮ３０に送信する（Ｓ１）。このマルチキャストテーブル送信要求は、当該基地局装置２０−１と通信中の１又は複数の移動局装置１０をそれぞれ識別するための１又は複数の移動局装置識別情報を含んでいる。このマルチキャストテーブル送信要求を受信したＰＤＳＮ３０は、記憶しているマルチキャストテーブルからその一部、すなわち、マルチキャストテーブル送信要求に含まれる移動局装置識別情報により示される移動局装置１０の属するマルチキャストグループに関する移動局装置グループ情報を基地局装置２０−１に対して送信する（Ｓ２）。基地局装置２０−１は、こうして送信された移動局装置グループ情報を受信し、マルチキャストテーブルを構成して記憶している。
【００６３】
そして同図では、移動局装置１０−１が基地局装置２０−１に在圏し、基地局装置２０−１を介してＰＤＳＮ３０からストリーミングデータを受信している状態を初期状態として説明する（Ｓ３，Ｓ４）。この初期状態において、移動局装置１０−１は、基地局装置２０−１との通信中、定期的に周辺基地局装置からの報知信号を受信してその受信レベルを取得し、基地局装置２０−１に報告する（Ｓ５）。基地局装置２０−１は移動局装置１０−１からの前記報告に基づいて、移動局装置１０−１を基地局装置２０−２にハンドオーバさせることを決定し、ハンドオーバ要求をＰＤＳＮ３０に（Ｓ６）、ハンドオーバ指示を移動局装置１０−１に（Ｓ７）、それぞれ送信する。
【００６４】
ハンドオーバ要求を受信したＰＤＳＮ３０は、ハンドオーバ要求を基地局装置２０−２に対して転送する（Ｓ１０）とともに、引き続きストリーミングデータを基地局装置２０−１に対して送信し（Ｓ８）、基地局装置２０−１は、ＰＤＳＮ３０からのストリーミングデータを移動局装置１０−１へ送信する（Ｓ９）。なお、Ｓ８においてＰＤＳＮ３０から送信されるストリーミングデータは、ＰＤＳＮ３０の所定時間計時部３９での計時（図６におけるＳ７１）において、所定時間が経過し、削除要求部４１から送信部３３を介して削除要求するとともに、当該削除要求を基地局装置２０−１の受信部２１で受信するまで、基地局装置２０−１で受信されることとなる。
【００６５】
ハンドオーバ指示を受信した移動局装置１０−１は、基地局装置２０−２に対しチャネル割り当てを要求し、基地局装置２０−２との間で通信路を確立する（Ｓ１１）。
【００６６】
基地局装置２０−２は、ハンドオーバ要求又は移動局装置１０−１からのチャネル割り当て要求のいずれか早く受信した方の受信を契機として、ＰＤＳＮ３０からマルチキャストテーブルを取得し、当該マルチキャストテーブルに基づいて同一マルチキャストグループ内の移動局装置１０（移動局装置１０−２とする。）を検索し、移動局装置１０−２を示す移動局装置識別情報を取得する（Ｓ１２）。
【００６７】
基地局装置２０−２は、Ｓ１２において移動局装置識別情報を取得すると、移動局装置１０−２に対して順次送信しているストリーミングデータを順次複製し、基地局複製ストリーミングデータとして、移動局装置１０−１に順次送信するようにする（Ｓ１３）。
【００６８】
移動局装置１０−１は、Ｓ１４において基地局複製ストリーミングデータが受信されたら、基地局装置２０−１との通信路を開放する（Ｓ１５）。そして、この場合、ＰＤＳＮ３０は、前記所定時間計時部３９による計時（図６におけるＳ７１）に基づいて所定時間が経過するまで、基地局２０−１を介して移動局装置１０−１宛のストリーミングデータが引き続き送信される（Ｓ１６，Ｓ１６Ａ）。なお、前記所定時間が経過した場合には、基地局装置２０−１は、ＰＤＳＮ３０との通信路を解放する（図示せず）。この場合は、ＰＤＳＮ３０から基地局２０−１への移動局装置１０−１宛のデータの送信が終了する。また、ＰＤＳＮ３０は、前記所定時間内に、Ｓ１６におけるストリーミングデータの送信を行う際には、基地局装置２０−２との通信路を確立し（Ｓ１７）、その後移動局装置１０−１に対して送信するストリーミングデータの送信先を基地局装置２０−１と基地局装置２０−２とにする。すると、移動局装置１０−１に対して送信するストリーミングデータは、基地局装置２０−２において受信されるようになる（Ｓ１８）とともに、基地局装置２０−１でも受信されるようになる（Ｓ１６）。このような処理状態になった場合には、基地局装置２０−２は複製送信を終了し（Ｓ１９）、ＰＤＳＮ３０から受信されるストリーミングデータを基地局装置２０−２を介して移動局装置１０−１に対して送信する処理を開始する（Ｓ２０）。以降、ＰＤＳＮ３０が順次送信するストリーミングデータは、基地局装置２０−２を介して、移動局装置１０−１へ送信されるようになる（Ｓ２１，Ｓ２２）。そして、これとともに、ＰＤＳＮ３０が順次送信するストリーミングデータは、移動局装置１０−１が基地局装置２０−１から基地局装置２０−２へハンドオーバした場合であっても、移動局装置２０−１へストリーミングデータを送信するようになっている（Ｓ１６）。
【００６９】
次に、基地局装置２０−１からＰＤＳＮ３０へのハンドオーバ要求後の処理について、図６に基づいて、更に詳細に説明する。
【００７０】
基地局装置２０−１は移動局装置１０−１からの報告に基づいて、移動局装置１０−１を基地局装置２０−２にハンドオーバさせることを決定し、ハンドオーバ要求をＰＤＳＮ３０に行うが（Ｓ６）、この場合、ＰＤＳＮ３０は受信部３４で当該要求を受信し、所定時間計時部３９へ出力する。所定時間計時部３９では前記要求に基づいて計時を開始する（Ｓ７１）。そして、ＰＤＳＮ３０は、所定時間計時部３９による計時において、所定時間が経過する前に、ハンドオーバ移動局装置１０−１について、前記所定時間経過前に、ハンドオーバ元の基地局装置２０−１へ再度ハンドオーバが実行されたかどうかを第１の判断部（図示せず）で判断し（Ｓ７２）、再度ハンドオーバが実行された場合には、図５におけるステップＳ２８の処理を行い、ハンドオーバ元の基地局装置２０−１からハンドオーバ移動端末１０−１へ向けてストリーミングデータを継続して送信するようにする。これに対し、再度ハンドオーバが実行されない場合には、前記所定時間が経過するかどうかを第２の判断部（図示せず）で判断（Ｓ７３）して、所定時間が経過した場合には、ハンドオーバ元の基地局装置２０−１へ、マルチキャストテーブルにおけるハンドオーバ移動局装置１０−１の少なくとも識別情報を削除するよう要求する（Ｓ７４）。
【００７１】
なお、本発明は上記実施の形態に限定されるものではない。例えば、上記実施の形態ではストリーミングデータについて説明したが、ストリーミングデータに限らず、リアルタイム性が要求され、再送制御が制限されるデータ（リアルタイムデータ）について本発明を適用することにより、上記効果を得ることができる。
【００７２】
また、ハンドオーバの処理について、上記実施の形態では基地局装置２０主導のハンドオーバ処理を例にとって説明したが、移動局装置１０主導など他のハンドオーバ処理についても、本発明を適用することができる。
【符号の説明】
【００７３】
１：移動体通信システム、１０：移動局装置、１１，２１，２３，３１，３４：受信部、１２：受信レベル取得部、１３，２２，２４，３３，３５：送信部、１４，２７，３８：ハンドオーバ実施部、２０：基地局装置、２５，３６：マルチキャストテーブル記憶部、２６：同一データ送信判断部、２８：マルチキャストテーブル送信要求部、３０：ＰＤＳＮ、３２：宛先決定部、３７：マルチキャストテーブル送信部、３９：所定時間計時部、４０：ネットワーク、４１：削除要求部、２２１：複製部、２８１：移動局装置識別情報取得部。
【図１】
2015062262.tif 000003
【図２】
2015062262.tif 000004
【図３】
2015062262.tif 000005
【図４】
2015062262.tif 000006
【図５】
2015062262.tif 000007
【図６】
2015062262.tif 000008